(57)【要約】      （修正有）【課題】押釦体を後退位置に復帰させる際のスイッチ部の応答性に優れた非常停止用押釦スイッチを提供する。【解決手段】前進端位置にて保持された押釦体５１の回転操作により第２バネとしての釦復帰バネ５８によって元の後退位置に復帰するときに、中間リング６３に支持されたスチールボール６４が内リング６２をラッチバネ６１の付勢力に抗して第２位置にて一旦保持するので、スイッチ可動軸３６の下方への押圧が保持されて可動接点３４が固定接点３２から開離した状態が保持される。続いて、押釦体５１が前進端位置よりも後退位置寄りの所定位置まで後退することに応じて内リング６２の保持を解除し、ラッチバネ６１の弾発力により内リング６２を第１位置へ後退させるので、スイッチ可動軸３６の押圧が解除されてスイッチ復帰バネ３７により可動接点３４が固定接点３２に対して弾接する。【選択図】図１
2008052956.tif 000002
【特許請求の範囲】
【請求項１】
本体ケースの一端側に押釦体をケース軸心方向に進退自在に設けると共に、複数の端子が配設された端子台を有するソケット部をその他端側に着脱可能に設け、その押釦体が後退した元位置にて複数の可動接点をそれぞれ対応する固定接点に対して第１バネにより弾接させる一方、その押釦体が押し込まれてその前進端位置で保持された状態にて前記可動接点を固定接点から開離させるようにしたスイッチ部を設け、さらに、前記前進端位置にて保持された前記押釦体を所定角度だけ回転させることによりその押釦体が第２バネによって元の後退位置に復帰するように構成された非常停止用押釦スイッチにおいて、
前記押釦体との間に第３バネが介挿されて前記ケース軸心方向に進退自在に設けられ、前記押釦体が後退した元位置にあるときは前記第１バネにより前記可動接点を前記固定接点に対して弾接させる第１位置とされる一方、前記押釦体が前記前進端位置まで押し込まれたときはその押釦体と一緒に移動して前記可動接点を前記固定接点から開離させる第２位置とされる可動体と、
前記前進端位置にて保持された前記押釦体が所定角度だけ回転されることにより前記第２バネによって元の後退位置に復帰するときに、前記可動体を前記第３バネの付勢力に抗して前記第２位置にて一旦保持し、前記押釦体が前記前進端位置よりも前記後退位置寄りの所定位置まで後退することに応じて前記可動体の保持を解除して前記第３バネの弾発力により前記可動体を前記第１位置へ後退させる可動体保持機構と
を備えたことを特徴とする非常停止用押釦スイッチ。
【請求項２】
前記可動体保持機構は、
前記可動体に対向配置され且つ前記本体ケースに固定されると共に、可動体側の面と反可動体側の面とを貫通する貫通孔を有し、その貫通孔における前記両面間の厚さよりも長い係止片を前記貫通孔内で出没自在に支持する係止片支持部材と、
その係止片支持部材を挟んで前記可動体と反対側に対向配置され且つ前記押釦体に固定されると共に、前記前進端位置にて保持された前記押釦体が所定角度だけ回転されることにより前記第２バネによって元の後退位置に復帰するときに、前記係止片に当接して前記係止片支持部材の前記貫通孔内にて可動体側へ突出させて前記可動体を前記第３バネの付勢力に抗して前記第２位置にて一旦係止し、前記押釦体が前記所定位置まで後退することに応じて前記可動体から当接されて前記係止片支持部材の前記貫通孔内にて可動体側から没して反可動体側へ突出する前記係止片を案内する係止片当接案内部材と
を備えたことを特徴とする請求項１に記載の非常停止用押釦スイッチ。
【請求項３】
前記係止片は、球体であることを特徴とする請求項２に記載の非常停止用押釦スイッチ。
【請求項４】
前記可動体、前記係止片支持部材及び前記係止片当接案内部材は、それぞれ筒状に形成されて前記押釦体の軸心に対して同心状に配置されたことを特徴とする請求項２又は３に記載の非常停止用押釦スイッチ。
【請求項５】
前記可動体保持機構は、前記押釦体を前記前進端位置まで押し込むときに、前記可動体を前記第３バネの付勢力に抗して前記第１位置にて一旦保持し、前記押釦体が前記前進端位置まで前進することに応じて、前記可動体の保持を解除して前記第３バネの弾発力により前記可動体を前記第２位置まで前進させると同時に、前記押釦体を前記前進端位置にて保持することを特徴とする請求項１乃至４のいずれかに記載の非常停止用押釦スイッチ。
【発明の詳細な説明】
【技術分野】
【０００１】
本発明は、様々な自動機械やプレス装置等の安全運転のために電気回路に使用される非常停止用押釦スイッチに関する。
【背景技術】
【０００２】
従来より、プレス装置等の機械の運転中に何らかの非常事態が発生した場合に、作業者が手で前記押釦体ｆを押すことにより運転を直ちに停止させる目的のために使用される電気部品として、各種の非常停止用押釦スイッチが提案されている（例えば、特許文献１乃至３参照。）。
【０００３】
ここで、従来の非常停止用押釦スイッチの一例について図１５を参照しつつ説明する。この押釦スイッチＳは、押釦体ｆの軸杆ｇをプラスチック製本体ケースａの大径筒部ｂから挿入して同ケースの軸心方向に進退自在に設けると共に、押釦体ｆが押し込まれた前進位置にて、軸杆ｇの弾性変形可能な係止片ｈを小径筒部ｃの内方に設けた突部ｄに係合させることによりその位置を保持させ、かつ、押釦体ｆを一方向へ一定角度だけ回転させることにより係止片ｈの後端面が突部ｄから外れて、当該押釦体ｆを復帰バネｅによって元の後退位置に復帰させるように設けられている。
【０００４】
上記大径筒部ｂの内方には、押釦体ｆが後退した通常状態の位置にて、導電片ｎに設けられた一対の可動接点ｏを固定接点ｒに対して与圧バネｔにより夫々弾接させ、押釦体ｆが前進端まで押し込まれる非常停止状態の場合に、導電片ｎが前進移動して可動接点ｏを固定接点ｒから開離させるように構成されたスイッチ部ｍを設けている。また、その小径筒部ｃ側には、固定接点ｒから延びる固定端子片ｐの先端部に挿入されて導通する複数の端子ｋが配設された端子台ｊを着脱可能に設けている。
【特許文献１】特開２００３−１０９４５７号
【特許文献２】特開２００４−２３４９５０号
【特許文献３】特開２００５−２２２８５０号
【発明の開示】
【発明が解決しようとする課題】
【０００５】
しかしながら、上述した従来例の押釦スイッチＳにおいては、押釦体ｆを一方向へ一定角度だけ回転させて当該押釦体ｆを復帰バネｅによって元の後退位置に復帰させる際に、作業者が押釦体ｆをゆっくりと回転させた場合には、複数の接点が閉じるタイミングにばらつきが生じる場合がある。例えば、作業者が手袋を着用している場合には、押釦体ｆを掴むときにすべり易いため、押釦体ｆの回転が完了するまでに通常より多くの時間を要する場合があり、複数の接点が閉じるタイミングにずれが生じ易い。そして、複数の接点が閉じてオンとなるタイミングのばらつきが生じた場合、装置側では不良発生と認識されてしまう可能性があるという問題がある。
【０００６】
本発明は上述した問題点に鑑みてなされたものであり、押釦体を後退位置に復帰させる際のスイッチ部の応答性に優れた非常停止用押釦スイッチを提供することを目的とする。
【課題を解決するための手段】
【０００７】
以下、上記課題を解決するのに適した各手段につき、必要に応じて作用効果等を付記しつつ説明する。
【０００８】
１．本体ケースの一端側に押釦体をケース軸心方向に進退自在に設けると共に、複数の端子が配設された端子台を有するソケット部をその他端側に着脱可能に設け、その押釦体が後退した元位置にて複数の可動接点をそれぞれ対応する固定接点に対して第１バネにより弾接させる一方、その押釦体が押し込まれてその前進端位置で保持された状態にて前記可動接点を固定接点から開離させるようにしたスイッチ部を設け、さらに、前記前進端位置にて保持された前記押釦体を所定角度だけ回転させることによりその押釦体が第２バネによって元の後退位置に復帰するように構成された非常停止用押釦スイッチにおいて、
前記押釦体との間に第３バネが介挿されて前記ケース軸心方向に進退自在に設けられ、前記押釦体が後退した元位置にあるときは前記第１バネにより前記可動接点を前記固定接点に対して弾接させる第１位置とされる一方、前記押釦体が前記前進端位置まで押し込まれたときはその押釦体と一緒に移動して前記可動接点を前記固定接点から開離させる第２位置とされる可動体と、
前記前進端位置にて保持された前記押釦体が所定角度だけ回転されることにより前記第２バネによって元の後退位置に復帰するときに、前記可動体を前記第３バネの付勢力に抗して前記第２位置にて一旦保持し、前記押釦体が前記前進端位置よりも前記後退位置寄りの所定位置まで後退することに応じて前記可動体の保持を解除して前記第３バネの弾発力により前記可動体を前記第１位置へ後退させる可動体保持機構と
を備えたことを特徴とする非常停止用押釦スイッチ。
【０００９】
手段１によれば、押釦体との間に第３バネが介挿されてケース軸心方向に進退自在に設けられた可動体は、押釦体が後退した元位置にあるときは第１バネにより可動接点を固定接点に対して弾接させる第１位置とされる一方、押釦体が前進端位置まで押し込まれたときは押釦体と一緒に移動して可動接点を固定接点から開離させる第２位置とされ、可動体保持機構は、前進端位置にて保持された押釦体が所定角度だけ回転されることにより第２バネによって元の後退位置に復帰するときに、可動体を第３バネの付勢力に抗して第２位置にて一旦保持し、押釦体が前進端位置よりも後退位置寄りの所定位置まで後退することに応じて可動体の保持を解除して第３バネの弾発力により可動体を第１位置へ後退させる。従って、前進端位置にて保持された押釦体を元の後退位置へ復帰させる際に、押釦体を回転させる速度に拘わらず、可動体が第３バネの弾発力により瞬間的に後退して第１位置とされることにより、複数の可動接点を同時的に且つ短時間で固定接点に弾接させるので、スイッチ部のオン状態への応答性が極めて良好である。
【００１０】
２．前記可動体保持機構は、
前記可動体に対向配置され且つ前記本体ケースに固定されると共に、可動体側の面と反可動体側の面とを貫通する貫通孔を有し、その貫通孔における前記両面間の厚さよりも長い係止片を前記貫通孔内で出没自在に支持する係止片支持部材と、
その係止片支持部材を挟んで前記可動体と反対側に対向配置され且つ前記押釦体に固定されると共に、前記前進端位置にて保持された前記押釦体が所定角度だけ回転されることにより前記第２バネによって元の後退位置に復帰するときに、前記係止片に当接して前記係止片支持部材の前記貫通孔内にて可動体側へ突出させて前記可動体を前記第３バネの付勢力に抗して前記第２位置にて一旦係止し、前記押釦体が前記所定位置まで後退することに応じて前記可動体から当接されて前記係止片支持部材の前記貫通孔内にて可動体側から没して反可動体側へ突出する前記係止片を案内する係止片当接案内部材と
を備えたことを特徴とする手段１に記載の非常停止用押釦スイッチ。
【００１１】
手段２によれば、係止片当接案内部材は、前進端位置にて保持された押釦体が所定角度だけ回転されることにより第２バネによって元の後退位置に復帰するときに、係止片支持部材の貫通孔内で支持された係止片に当接して可動体側へ突出させ、可動体を第３バネの付勢力に抗して第２位置にて一旦係止することにより保持し、押釦体が所定位置まで後退することに応じて可動体から当接されて係止片支持部材の貫通孔内にて可動体側から没して反可動体側へ突出する係止片を案内することにより可動体の保持を解除して第３バネの弾発力により可動体を第１位置へ後退させる。従って、前進端位置にて保持された押釦体を回転させて元の後退位置へ復帰させる際に、簡単な構造で確実に複数の可動接点を同時的に且つ短時間で固定接点に弾接させることができる。
【００１２】
３．前記係止片は、球体であることを特徴とする手段２に記載の非常停止用押釦スイッチ。
手段３によれば、係止片が球体であるので、簡単な構造で係止片支持部材の貫通孔内を可動体側において円滑に出没させることができる。
【００１３】
４．前記可動体、前記係止片支持部材及び前記係止片当接案内部材は、それぞれ筒状に形成されて前記押釦体の軸心に対して同心状に配置されたことを特徴とする手段２又は３に記載の非常停止用押釦スイッチ。
手段４によれば、可動体、係止片支持部材及び係止片当接案内部材は、それぞれ筒状に形成されて押釦体の軸心に対して同心状に配置されているので、可動体及び可動体保持機構をコンパクトなサイズで実現することができる。
【００１４】
５．前記可動体保持機構は、前記押釦体を前記前進端位置まで押し込むときに、前記可動体を前記第３バネの付勢力に抗して前記第１位置にて一旦保持し、前記押釦体が前記前進端位置まで前進することに応じて、前記可動体の保持を解除して前記第３バネの弾発力により前記可動体を前記第２位置まで前進させると同時に、前記押釦体を前記前進端位置にて保持することを特徴とする手段１乃至４のいずれかに記載の非常停止用押釦スイッチ。
【００１５】
手段５によれば、可動体保持機構は、押釦体を前進端位置まで押し込むときに、可動体を第３バネの付勢力に抗して第１位置にて一旦保持し、押釦体が前進端位置まで前進することに応じて、可動体の保持を解除して第３バネの弾発力により可動体を第２位置まで前進させると同時に、押釦体を前進端位置にて保持するので、スイッチ部のオフ状態への応答性が良好であって非常停止作動を確実に行うことができ且つオフ状態を保持することができる。
【発明の効果】
【００１６】
本発明によれば、前進端位置にて保持された押釦体を元の後退位置へ復帰させる際に、押釦体を回転させる速度に拘わらず、可動体が第３バネの弾発力により瞬間的に後退して第１位置とされることにより、複数の可動接点を同時的に且つ短時間で固定接点に弾接させるので、スイッチ部のオン状態への応答性が極めて良好である。
【発明を実施するための最良の形態】
【００１７】
以下、本発明を具体化した非常停止用押釦スイッチの一実施形態について図面を参照しつつ説明する。図１は、スイッチ部３０の接点が「閉」とされた通常状態における非常停止用押釦スイッチ１の要部を縦断して示す側面図である。図２は、押釦体５１が押し込まれる途中の状態における非常停止用押釦スイッチ１の要部を縦断して示す側面図である。図３は、押釦体５１が前進端位置で保持されてスイッチ部３０の接点が「開」とされた非常停止状態における非常停止用押釦スイッチ１の要部を縦断して示す側面図である。図４は、押釦体５１が回転操作されて前進端位置から少し後退した瞬間の状態における非常停止用押釦スイッチ１の要部を縦断して示す側面図である。図５は、押釦体５１が後退位置に復帰する直前の状態における非常停止用押釦スイッチ１の要部を縦断して示す側面図である。尚、図１及び図２は、可動体としての内リング６２が本発明の第１位置とされた状態を、図３及び図４は、内リング６２が第２位置とされた状態を、図５は、内リング６２が第２位置から第１位置へ移動する瞬間をそれぞれ示している。
【００１８】
非常停止用押釦スイッチ１は、図１に示すように、スイッチ部３０を収容する本体部１０と、本体部１０の上端側にて軸心方向（図１の上下方向）に進退自在に設けられた押釦部５０と、本体部１０の下端側に着脱可能に装着されるソケット部７０とを備えている。
【００１９】
本体部１０は、中空状に形成された合成樹脂製の本体ケース１１を備えている。本体ケース１１は、上端側略半分が大径筒部１２となっており、下端側略半分が小径筒部１３となっている。大径筒部１２には、ステンレス鋼製のアウトサート１４が外嵌されている。小径筒部１３外周面の上端寄りの領域にはネジ部１３ａが形成されており、このネジ部１３ａには、非常停止用押釦スイッチ１をプレス装置等の装置側パネルに取付けるための取付け用ナット１５が螺合される。また、小径筒部１３外周面のネジ部１３ａが設けられていない下端寄りの領域には、ソケット部５０の後述するスチールボール７７を係止可能な係止孔１３ｂが周方向に９０度間隔で４箇所に形成されている。
【００２０】
スイッチ部３０は、合成樹脂製のスイッチケース３１を備えている。図６（ａ）は、スイッチケース３１を示す平面図であり、後述する固定接点３２、可動接点３４、導電板３５及びスイッチ可動軸３６を点線にて示している。また、図６（ｂ）は、スイッチケース３１を示す側面図である。図６に示すように、スイッチケース３１は、本体ケース１１の小径筒部１３の内径よりも僅かに小さい外径を有しており、上端側が開口する有底円筒状の可動軸収容部３１ａが等角度間隔で３箇所に形成されている。スイッチケース３１の上端側には、固定接点３２が下端側に向けて左右両端に設けられた固定端子片（図示せず）が、各々の可動軸収容部３１ａに中心が一致するように３箇所に設けられている。各可動軸収容部３１ａ内には、スイッチ可動軸３６が軸方向に摺動可能に収容される。また、スイッチケース３１の略中央には、ランプ端子４１が下端側に一部が突出するように取付けられている。
【００２１】
スイッチ可動軸３６は、略円柱形状の合成樹脂製ブロック体であり、スイッチ可動軸３６のほぼ中間位置には、左右一対の可動接点３４，３４が固定接点３２，３２の間隔に合わせて設けられた導電板３５を交差状に固定している。スイッチ可動軸３６は、下面側にバネ挿入溝３６ａが形成され、可動軸収容部３１ａの底部３１ｂとバネ挿入溝３６ａとの間に介装されたスイッチ復帰バネ３７により左右の可動接点３４を夫々対応する固定接点３２に対して弾接させる方向に付勢するように設けられている。尚、スイッチ復帰バネ３７が、本発明の第１バネを構成するものである。
【００２２】
押釦部５０は、合成樹脂製の押釦体５１を備え、押釦体５１は、本体ケース１１の軸心方向に進退自在に設けられている。この押釦体５１は、図１等に示すように、頭部５２の中心部に中空状の軸部５３を一体に形成し、頭部５２を大径筒部１２の外周面に遊嵌するように設けられ、頭部５２下面と本体ケース１１上部との間に介装された釦復帰バネ５８を介装している。そして、押釦体５１は、釦復帰バネ５８の弾発力により後述する外リング６０の大径部６０ｂの上端面６０ｇを本体ケース１１の内側端面に当接させることにより通常状態の後退位置に保持されるように設けられている。釦復帰バネ５８が、本発明の第２バネを構成するものである。
【００２３】
軸部５３内には銅製の外リング６０がリングナット５９を介して取付けられる。図７（ａ）は、外リング６０を示す縦断面図であり、同図（ｂ）は、その底面図である。外リング６０は、図７に示すように、略円筒状を呈し、上端側の小径部６０ａと、下端側の大径部６０ｂとを有している。また、大径部６０ｂ内周面の上端寄りの領域に全周に亘り凹部６０ｃが形成され、凹部６０ｃよりも下端側は凸部６０ｄとなっている。凸部６０ｄには、軸方向に延びる横断面Ｃ字状の溝部６０ｅが周方向に９０度間隔で４箇所に形成されている。溝部６０ｅ内の深さは、凹部６０ｃの深さと同一であり、溝部６０ｅの上端側の端部には溝内凸部６０ｆが形成されている。尚、外リング６０が、本発明の係止片当接案内部材を構成するものである。
【００２４】
外リング６０内には下端側からＬＥＤホルダ５４が挿入され、ＬＥＤホルダ５４内にはＬＥＤ５５が保持されている。軸部５３の上端側の開口には、赤色に着色された透明樹脂からなるレンズ５６が、パッキン５６ａを介して嵌め込まれている。ＬＥＤホルダ５４内周面とスイッチケース３１との間には、接点導電バネ５４ａが介挿されている。ＬＥＤ５５は、押釦体５１が押し込まれてＬＥＤホルダ５４が下降することにより端子５５ａがランプ端子４１に弾接した状態で通電されて点灯する。作業者は、ＬＥＤ５５の点灯を視認することにより、押釦体５１が前進端位置で保持されてスイッチ部３０の接点が「開」とされた非常停止状態であることを認識することができる。
【００２５】
ＬＥＤホルダ５４の外周面にはラッチバネ６１が介挿され、さらに、軸方向略中央から下端にかけて銅製の内リング６２が外嵌する。図８（ａ）は、内リング６２の平面図であり、同図（ｂ）は内リング６２を縦断して示す側面図である。図８に示すように、内リング６２は、略円筒状を呈し、上端側の小径部６２ａと、下端側の大径部６２ｂとを有し、小径部６２ａの内周面全体と大径部６２ｂ下端部内周面とがＬＥＤホルダ５４外周面に嵌合している。また、大径部６２ｂの外周面には、全周に亘って突起部６２ｃが形成されている。ラッチバネ６１が、本発明の第３バネを、内リング６２が可動体をそれぞれ構成するものである。
【００２６】
内リング６２の大径部６２ｂと外周側に位置する外リング６０の大径部６０ｂとの間には空間が形成されており、この空間内に銅製の中間リング６３が下端側から挿入される。図９（ａ）は、中間リング６３を縦断して示す側面図であり、同図（ｂ）はその底面図である。図９に示すように、中間リング６３は、略円筒状を呈し、上端近傍にはスチールボール６４の外径よりも僅かに大きい内径を有して内周面と外周面との間を貫通するボール支持孔６３ａが、周方向に９０度間隔で４箇所に形成されている。スチールボール６４は、公知の軸受用鋼球であり、各ボール支持孔６３ａ内に各１個のスチールボール６４が収容される。尚、スチールボール６４の直径は、各ボール支持孔６３ａにおける中間リング６３の厚さよりも大きく設定されている。また、中間リング６３の下端にはフランジ部６３ｂが設けられ、フランジ部６３ｂを本体ケース１１の下端部内周面に係合することによって中間リング６３が本体ケース１１に対して固定される。中間リング６３が、本発明の係止片支持部材を、ボール支持孔６３ａが貫通孔を、スチールボール６４が係止片及び球体をそれぞれ構成するものである。
【００２７】
ソケット部７０は、複数の端子が適宜配設された端子台７１を有し、本体ケース１１の小径筒部１３に挿入することにより固定されるように設けられている。このソケット部７０を本体ケース１１に取付けた状態では、スイッチ部３０の図示しない固定端子片の先端部がバネ性を有する接触片７５ｅに挿入されるように設けられていて、両者は圧接された状態にて通電可能とされるように構成されている。具体的には、ソケット部７０は、端子台７１と、ソケットケース７５と、ソケットリング７８とを主要部として構成される。
【００２８】
端子台７１は、略直方体状の合成樹脂製ブロック体であり、下端側に複数の端子金具７２が取付けられ、上端側に各端子金具７２に導通された４極基板７３が取付けられている。また、端子台７１の下端側には、複数の端子金具７２を覆う合成樹脂製のカバー７４が着脱可能に取付けられる。
【００２９】
ソケットケース７５は、上端側が開口する有底円筒状の合成樹脂製ブロック体である。図１０（ａ）は、ソケットケース７５の平面図であり、同図（ｂ）は、その側面図である。ソケットケース７５は、円筒部７５ａと、底部７５ｂとを有し、底部７５ｂ側が端子台７１の上端側に固定される。円筒部７５ａの上端近傍には、内周面と外周面との間を貫通するボール支持孔７５ｃが、周方向に９０度間隔で４箇所に形成されている。ボール支持孔７５ｃの内径は、内周面側の開口ではスチールボール７７の外径よりも僅かに小さく、それ以外はスチールボール７７の外径よりも僅かに大きく設定されている。スチールボール７７は、公知の軸受用鋼球であり、各ボール支持孔７５ｃ内に各１個のスチールボール７７が収容される。尚、スチールボール７７の直径は、ボール支持孔７５ｃにおける円筒部７５ａの厚さよりも大きく設定されている。底部７５ｂには、スイッチケース３１の可動軸収容部３１ａを受容可能な円筒孔７５ｄが３箇所に形成されると共に、スイッチケース３１の下端面から突出する複数の端子片の先端部が挿入されるバネ性を有する接触片７５ｅが設けられている。
【００３０】
ソケットリング７８は、略円筒状のアルミニウム製部材である。図１１（ａ）は、ソケットリング７８を示す平面図であり、同図（ｂ）はその縦断面図である。ソケットリング７８は、内径がソケットケース７５の外径よりも僅かに大きく設定され、下端側に全周に亘りバネ挿入溝７８ａが設けられている。ソケットリング７８内周面は、上端近傍が内径の大きい大径部７８ｂとなっており、大径部７８ｂよりも下端側は内径が相対的に小さく且つソケットケース７５外径よりも僅かに大きく設定された小径部７８ｃとなっている。ソケットリング７８は、ソケットケース７５の外周面に摺動可能に外嵌し、ソケットケース７５の下端突起部７５ｇとバネ挿入溝７８ａとの間に介装されたソケットロックバネ７９により軸心方向上方へ付勢され、ソケットケース７５の上端突起部７５ｆにて係止される。
【００３１】
次に、非常停止用押釦スイッチ１のプレス装置等への取付け方法について図１２乃至図１４を参照しつつ説明する。尚、非常停止用押釦スイッチ１は、押釦部５０が本体部１０に組付けられて予め一体化されており、取付け用ナット１５及びソケット部７０は、本体部１０から分離されているものとする。図１２（ａ）は、本体部１０及び押釦部５０の装置側パネルＰへの取付けを示す説明図であり、同図（ｂ）は、取付け前におけるソケット部７０の要部を縦断して示す側面図である。図１３は、ソケット部７０の本体部１０への取付けを示す説明図である。図１４は、ソケット部７０の本体部１０へのロックが完了した状態を示す説明図である。
【００３２】
まず、図１２（ａ）に示すように、装置側パネルＰに設けられた取付け孔Ｈに、取付けパッキン１５ａを介して本体部１０の小径筒部１３を挿入し、この状態で、取付け用ナット１５を小径筒部１３の外周面に下端側から挿通し、ネジ部１３ａに螺合することにより、押釦部５０が組付けられた本体部１０が装置側パネルＰに固定される。続いて、図１３に示すように、ソケットリング７８をソケットロックバネ７９の付勢力に抗して押し下げた状態に保持しつつ、ソケットケース７５を本体ケース１１の小径筒部１３に位置合わせして押しこむ。そして、図１４に示すように、ソケットリング７８の押し下げ保持を解除すると、ソケットロックバネ７９の弾発力によってソケットリング７８が元の上端位置に復帰してソケット部７０の本体部１０へのロックが完了する。
【００３３】
ここで、ソケットケース７５がソケットリング７８を介して本体ケース１１に対してロックされる様子について、より詳細に説明する。ソケット部７０を本体部１０から取り外した状態で、ソケットリング７８は、図１２（ｂ）に示すように、ソケットリングロックバネ７９により上方へ付勢され且つ上端突起部７５ｆに係止されてソケットケース７５の上端側に位置している。この状態では、ソケットケース７５の上端近傍に設けられたボール支持孔７５ｃの外周面側開口がソケットリング７８内周面によって塞がれ、スチールボール７７の一部分がソケットケース７５の内周面側へ突出している。
【００３４】
ソケットリング７８をソケットロックバネ７９の付勢力に抗して押し下げると、図１３に示すように、ボール支持孔７５ｃの外周面側開口にソケットリング７８の内周面が対向するため、スチールボール７７はボール支持孔７５ｃを外周方向へ移動可能となる。この状態で、ソケットケース７５を本体ケース１１の小径筒部１３へ挿入していくと、小径筒部１３外周面がスチールボール７７に当接して、スチールボール７７がボール支持孔７５ｃ内を外周側へ移動してソケットケース７５内周面から没した状態となるため、ソケットケース７５を小径筒部１３へ奥まで挿入することができる。
【００３５】
続いて、ソケットリング７８の押し下げ保持を解除すると、図１４に示すように、ソケットリング７８はソケットロックバネ７９の弾発力によって元のソケットケース７５上端位置に復帰する。この時、ソケットリング７８内周面がスチールボール７７に当接し、スチールボール７７はボール支持孔７５ｃ内を内周側へ移動してソケットケース７５内周面から小径筒部１３の係止孔１３ｂ内へ突出して係止される。このようにして、ソケットケース７５と本体ケース１１とのロックが完了する。
【００３６】
次に、非常停止用押釦スイッチ１の作動及び操作について、図１乃至図５を参照しつつ説明する。
【００３７】
（１）図１に示すように、押釦スイッチ１の押釦体５１は、押釦体５１は、復帰バネ５８の弾発力により外リング６０の大径部６０ｂの上端面６０ｇを本体ケース１１の内側端面に当接させることにより通常状態の後退位置に保持される。この通常状態においては、複数の固定接点３２に対して夫々対応する可動接点３４がスイッチ復帰バネ３７の弾発力により接触しているので、スイッチ部３０の接点は「閉」の状態（オン状態）に保持される。
【００３８】
（２）非常停止時に押釦体５１を押し込むと、内リング６２の突起部６２ｃがスチールボール６４に当接してラッチバネ６１が収縮していく。押釦体５１が押し込まれて内リングが所定位置に到達すると、図２に示すように、内リング６２の突起部６２ｃが、中間リング６３のボール支持孔６３ａにて内周面側に突出したスチールボール６４によりラッチバネ６１の付勢力に抗して係止される。押釦体５１がさらに押し込まれると、外リング６０の凹部６０ｃが中間リング６３のボール支持孔６３ａに対向する位置関係となり、内リング６２の突起部６２ｃによって当接されたスチールボール６４が外周方向へ移動して中間リング６３内周面側より没する。これにより、スチールボール６４による内リング６２の係止が解除される。この瞬間に、内リング６２及びＬＥＤホルダ５４がラッチバネ６１の弾発力によって一挙に前進移動し、内リング６２の先端部がスイッチ可動軸３６を押圧して下降させる。これにより、可動接点３４が固定接点３２から開離するので、スイッチ部３０の接点は「開」の状態（オフ状態）となる。
【００３９】
（３）スチールボール６４は、図３に示すように、内リング６２の突起部６２ｃに押圧されて中間リング６３のボール支持孔６３ａ内を外周方向へ移動し、外リング６０の凹部６０ｃ内に一部分が入り込んで外リング６０を係止する。従って、外リング６０が取付けられる押釦体５１は、前進端位置にて保持される。
【００４０】
（４）（３）の前進端位置に保持された非常停止状態において、押釦体５１を右方向に回転操作させることにより、スチールボール６４が外リング６０の凹部６０ｃから外れるので、押釦体５１は釦復帰バネ５８の弾発力によって元の後退位置に復帰する。より詳細には、押釦体５１及びこれに固定された外リング６０を右方向に回転操作させることにより、外リング６０の溝部６０ｅがスチールボール６４位置に到達すると、スチールボール６４と凸部６０ｄ上端面との係合が解除される。そして、図４に示すように、スチールボール６４が、溝部６０ｅ上端の溝内凸部６０ｆを乗り越えるときに、一旦、ボール支持孔６３ａ内を内周方向へ移動して中間リング６３内周面に一部分を突出させることにより、内リング６２の突起部６２ｃを上端側で係止する。つまり、スチールボール６４が溝内凸部６０ｆに乗り上げている間、内リング６２の軸方向位置が保持される。スチールボール６４は、溝内凸部６０ｆを乗り越えると、図５に示すように、突起部６２ｃにより押圧されて再びボール支持孔６３ａ内を外周側へ移動し、中間リング６３内周面から没して突起部６２ｃとの係合が解除され、内リング６２はラッチバネ６１の弾発力によって元の後退位置に復帰する。
【００４１】
（５）そして、内リング６２が後退位置に復帰することによってスイッチ可動軸３６の押圧が解除され、可動接点３４はスイッチ復帰バネ３７の弾発力により固定接点３２に対して瞬間的に接触させるので、図１に示すように、スイッチ部３０の接点は再び「閉」の状態に保持される。
【００４２】
以上詳述したことから明らかなように、本実施形態によれば、押釦体５１との間に第３バネとしてのラッチバネ６１が介挿されて本体ケース１１軸心方向に進退自在に設けられた可動体としての内リング６２は、押釦体５１が後退した元位置にあるとき、スイッチ可動軸３６を押圧することなく、第１バネとしてのスイッチ復帰バネ３７により可動接点３４を固定接点３２に対して弾接させる第１位置とされる（図１参照）。一方、押釦体５１が前進端位置まで押し込まれたときは押釦体５１と一緒に移動して、スイッチ可動軸３６を下方へ押圧することにより可動接点３４を固定接点３２から開離させる第２位置とされる（図３参照）。可動体保持機構（外リング６０，中間リング６３，スチールボール６４）は、前進端位置にて保持された押釦体５１が所定角度だけ回転されることにより第２バネとしての釦復帰バネ５８によって元の後退位置に復帰するときに、内リング６２をラッチバネ６１の付勢力に抗して第２位置にて一旦保持するので、スイッチ可動軸３６の下方への押圧が保持されて可動接点３４が固定接点３２から開離した状態が保持される（図４参照）。続いて、押釦体５１が前進端位置よりも後退位置寄りの所定位置まで後退することに応じて内リング６２の保持を解除し、ラッチバネ６１の弾発力により内リング６２を第１位置へ後退させるので、スイッチ可動軸３６の押圧が解除されてスイッチ復帰バネ３７により可動接点３４が固定接点３２に対して弾接する（図５、図１参照）。従って、前進端位置にて保持された押釦体５１を元の後退位置へ復帰させる際に、押釦体５１を回転させる速度に拘わらず、内リング６２がラッチバネ６１の弾発力により瞬間的に後退して第１位置とされることにより、複数の可動接点３４を同時的に且つ短時間で固定接点３２に弾接させるので、スイッチ部３０のオン状態への応答性が極めて良好である。従って、例えば、作業者が手袋を着用している場合に、押釦体５１を掴むときにすべり易いことに起因して押釦体５１の回転が完了するまでに通常より多くの時間を要する場合でも、複数の接点が閉じてスイッチ部３０がオンとなるタイミングにばらつきが生じることが防止される。
【００４３】
また、内リング６２に対向配置され且つ本体ケース１１に固定されると共に、内リング６２側の面とその反対側の面とを貫通する貫通孔としてのボール支持孔６３ａを有し、ボール支持孔６３ａにおける両面間の厚さよりも直径の大きい係止片としてのスチールボール６４をボール支持孔６３ａ内で出没自在に支持する係止片支持部材としての中間リング６３と、中間リング６３を挟んで内リング６２と反対側に対向配置され且つ押釦体５１に固定される係止片当接案内部材としての外リング６０とによって本発明の可動体保持機構が構成されている。そして、外リング６０は、前進端位置にて保持された押釦体５１が所定角度だけ回転されることにより釦復帰バネ５８によって元の後退位置に復帰するときに、中間リング６３のボール支持孔６３ａ内で支持されたスチールボール６４に当接して内リング６２側へ突出させ、内リング６２をラッチバネ６１の付勢力に抗して第２位置にて一旦係止することにより保持し、押釦体５１が所定位置まで後退することに応じて内リング６２から当接されて中間リング６３のボール支持孔６３ａ内にて内リング６２側から没してその反対側に突出するスチールボール６４を案内することにより内リング６２の保持を解除してラッチバネ６１の弾発力により内リング６２を第１位置へ後退させる。従って、前進端位置にて保持された押釦体５１を回転させて元の後退位置へ復帰させる際に、簡単な構造で確実に複数の可動接点３４を同時的に且つ短時間で固定接点３２に弾接させることができる。
【００４４】
さらに、押釦体５１を前進端位置まで押し込むときに、内リング６２をラッチバネ６１の付勢力に抗して第１位置にて一旦保持し（図２参照）、押釦体５１が前進端位置まで前進することに応じて、内リング６２の保持を解除してラッチバネ６１の弾発力により内リング６２を第２位置まで前進させると同時に、押釦体５１を前進端位置にて保持（ラッチ動作）するので（図３参照）、スイッチ部３０のオフ状態への応答性が良好であって非常停止作動を確実に行うことができ且つオフ状態を保持することができる。
【００４５】
また、係止片としてのスチールボール６４が球体であるので、簡単な構造で中間リング６３のボール支持孔６３ａ内を内リング６２側へ円滑に出没させることができる。
【００４６】
また、本発明の可動体、係止片支持部材及び係止片当接案内部材は、それぞれ筒状に形成された内リング６２、中間リング６３及び外リング６０によって構成され、押釦体５１の軸心に対して同心状に配置されているので、可動体及び可動体保持機構をコンパクトなサイズで実現することができる。
【００４７】
尚、本発明は上述した実施の形態に限定されるものではなく、本発明の主旨を逸脱しない範囲で種々の変更を施すことが可能である。例えば、各部材の材質、形状、サイズ等は要求される仕様に応じて適宜変更して実施することができる。
【産業上の利用可能性】
【００４８】
本発明は、様々な自動機械やプレス装置等の安全運転のために電気回路に使用される非常停止用押釦スイッチにおいて、押釦体を後退位置に復帰させる際のスイッチ部の応答性の向上が必要な場合に適用可能である。
【図面の簡単な説明】
【００４９】
【図１】スイッチ部の接点が「閉」とされた通常状態における本発明の一実施形態の非常停止用押釦スイッチを縦断して示す側面図である。
【図２】押釦体が押し込まれる途中の状態における非常停止用押釦スイッチの要部を縦断して示す側面図である。
【図３】押釦体が前進端位置で保持されてスイッチ部の接点が「開」とされた非常停止状態における非常停止用押釦スイッチの要部を縦断して示す側面図である。
【図４】押釦体が回転操作されて前進端位置から少し後退した瞬間の状態における非常停止用押釦スイッチの要部を縦断して示す側面図である。
【図５】押釦体が後退位置に復帰する直前の状態における非常停止用押釦スイッチの要部を縦断して示す側面図である。
【図６】（ａ）はスイッチケースを示す平面図であり、（ｂ）はその側面図である。
【図７】（ａ）は外リングを示す縦断面図であり、（ｂ）はその底面図である。
【図８】（ａ）は内リングを示す平面図であり、（ｂ）はその縦断面図である。
【図９】（ａ）は中間リングを示す縦断面図であり、（ｂ）はその平面図である。
【図１０】（ａ）はソケットケースを示す平面図であり、（ｂ）はその側面図である。
【図１１】（ａ）はソケットリングを示す平面図であり、（ｂ）はその縦断面図である。
【図１２】（ａ）は本体部及び押釦部の装置側パネルへの取付けを示す説明図であり、（ｂ）は取付け前におけるソケット部の要部を縦断して示す側面図である。
【図１３】ソケット部の本体部への取付けを示す説明図である。
【図１４】ソケット部の本体部へのロックが完了した状態を示す説明図である。
【図１５】従来の非常停止用押釦スイッチの一例を示す縦断側面図である。
【符号の説明】
【００５０】
１    非常停止用押釦スイッチ
１０    本体部
１１    本体ケース
３０    スイッチ部
３２    固定接点
３４    可動接点
３６    スイッチ可動軸
３７    スイッチ復帰バネ（第１バネ）
５０    押釦部
５１    押釦体
５８    釦復帰バネ（第２バネ）
６０    外リング（係止片当接案内部材）
６０ｃ  凹部
６０ｄ  凸部
６０ｅ  溝部
６０ｆ  溝内凸部
６１    ラッチバネ（第３バネ）
６２    内リング（可動体）
６２ｃ  突起部
６３    中間リング（係止片支持部材）
６３ａ  ボール支持孔（貫通孔）
６４    スチールボール（係止片、球体）
７０    ソケット部
７１    端子台
【図１】
2008052956.tif 000003
【図２】
2008052956.tif 000004
【図３】
2008052956.tif 000005
【図４】
2008052956.tif 000006
【図５】
2008052956.tif 000007
【図６】
2008052956.tif 000008
【図７】
2008052956.tif 000009
【図８】
2008052956.tif 000010
【図９】
2008052956.tif 000011
【図１０】
2008052956.tif 000012
【図１１】
2008052956.tif 000013
【図１２】
2008052956.tif 000014
【図１３】
2008052956.tif 000015
【図１４】
2008052956.tif 000016
【図１５】
2008052956.tif 000017